(57)【要約】【課題】  汎用的で安価なネジを用いて固定された２個の格点間を結合するトラス構造を提供する。【解決手段】  格点と、トラス部材と、前記格点と前記トラス部材とをつなぐアタッチメントと、を備えてなるトラス構造であって、前記アタッチメントは前記格点から突出した第1のネジ部材と、前記トラス部材から突出した第2のネジ部材と、前記第1及び第2のネジ部材へ螺号可能な第3のネジ部材とを備えてなり、前記第3のネジ部材を前記第1のネジ部材又は第2のネジ部材の支端側へねじ込んだとき、該第3のネジ部材及び該第3のネジ部材がねじ込まれたネジ部材の先端側と前記第3のネジ部材のねじ込まれていないネジ部材との間に間隔があけられる、ことを特徴とするトラス構造である。【選択図】  図１
2007262682.tif 000002
【特許請求の範囲】
【請求項１】
格点と、
トラス部材と、
前記格点と前記トラス部材とをつなぐアタッチメントと、を備えてなるトラス構造であって、
前記アタッチメントは前記格点から突出した第1のネジ部材と、前記トラス部材から突出した第2のネジ部材と、前記第1及び第2のネジ部材へ螺号可能な第3のネジ部材とを備えてなり、前記第3のネジ部材を前記第1のネジ部材又は第2のネジ部材の支端側へねじ込んだとき、該第3のネジ部材及び該第3のネジ部材がねじ込まれたネジ部材の先端側と前記第3のネジ部材のねじ込まれていないネジ部材との間に間隔があけられる、ことを特徴とするトラス構造。
【請求項２】
前記第1のネジ部材は前記第2のネジ部材より長く、前記第3のネジ部材は前記第１のネジ部材よりも短く前記第1のネジ部材の支端側へねじ込まれる、ことを特徴とする、請求項１に記載のトラス構造。
【請求項３】
前記第1のネジ部材及び第2のネジ部材は雄ネジであり、前記第3のネジ部材はナットである、ことを特徴とする請求項１又は２に記載のトラス構造。
【発明の詳細な説明】
【技術分野】
【０００１】
本発明はトラス構造に関する。
【背景技術】
【０００２】
トラス構造では、一般的に、長尺なトラス部材の両端を格点へ結合することにより立体構造物を構築する。
特許文献１には、格点と、トラス部材と、格点とトラス部材とをつなぐアタッチメントを備えるトラス構造であって、アタッチメントは格点へ回転可能に結合させるとともにトラス部材の端部へその側方から嵌合されるトラス構造が開示されている。この発明によれば、一対の格点の位置が固定されていても、当該一対の格点を繋ぐ直線の側方からトラス部材を挿入して、即ち払い込みにより一対の格点を結合することができるため、容易に立体構造物を構築することができる。
【０００３】
【特許文献１】特開２００５−１６３４１３号公報
【発明の開示】
【発明が解決しようとする課題】
【０００４】
本発明は、従来の固定された一対の格点にその側方からトラス部材を挿入可能なトラス構造について更なる改良を加え、格点とトラス部材との結合にネジを用いることで、汎用的で安価なトラス構造を提供することを課題とする。
【課題を解決するための手段】
【０００５】
この発明はこのような課題を解決するためになされたものであり、その構成は次の通りである。即ち、格点と、トラス部材と、前記格点と前記トラス部材とをつなぐアタッチメントと、を備えてなるトラス構造であって、前記アタッチメントは前記格点から突出した第1のネジ部材と、前記トラス部材から突出した第2のネジ部材と、前記第1及び第2のネジ部材へ螺号可能な第3のネジ部材とを備えてなり、前記第3のネジ部材を前記第1のネジ部材又は第2のネジ部材の支端側へねじ込んだとき、該第3のネジ部材及び該第3のネジ部材がねじ込まれたネジ部材の先端側と前記第3のネジ部材のねじ込まれていないネジ部材との間に間隔があけられる、ことを特徴とするトラス構造である。
【発明の効果】
【０００６】
このように構成されたトラス構造によれば、第３のネジ部材を第１のネジ部材の支端側又は第２のネジ部材の支端側にねじ込んだとき、第１のネジ部材の先端と第２のネジ部材の先端との間に間隔があけられる。従って、一対の格点の位置が固定されていても当該一対の格点間にその側方からトラス部材を挿入することができる。そして、第３のネジ部材を第３のネジ部材がねじ込まれていない部材側にねじ戻すことにより、格点間にトラス部材を結合することができる。
この発明によれば、格点とトラス部材との結合にネジ部材を用いることができるため、汎用的で安価なトラス構造を提供することができる。
【発明を実施するための最良の形態】
【０００７】
以下、この発明のトラス構造の各要素について説明する。
（核点）
格点はトラス部材の端部を保持するものであり、トラス構造の目的、用途に応じた強度を備えておればその形状、構造は特に限定されない。格点からネジ（第１のネジ部材）が突出しており、そのネジにアタッチメントを螺合することでトラス部材を固定することが可能になる。格点からネジを突出させる方法は特に限定されないが、格点に雌ネジ穴を形成して、その雌ネジ穴に長ネジの端部を螺合して、ネジを突出することが好ましい。
【０００８】
（トラス部材）
トラス部材の形状及び材質は、トラス構造の目的、用途に応じて適宜選択される。例えば、鋼材、アルミ合金材、木材、竹材等の長尺物をトラス部材として用いることができる。
トラス部材はその一端からネジ（第２のネジ部材）が突出しており、このネジにアタッチメントを螺合することで格点とトラス部材との固定を可能にする。トラス部材からネジを突出させる方法は特に限定されないが、トラス部材に貫通孔を形成し、端部をネジ山に形成した丸棒をその貫通孔に挿入して、トラス部材の端部から丸棒のネジ山を突出させることが好ましい。トラス部材の取付け作業に適した長さの丸棒を選択することができるためである。
【０００９】
（アタッチメント）
アタッチメント（第３のネジ部材）はその長辺方向で中心軸方向に貫通孔が形成されており、その貫通孔の内周壁に連続した雌ネジが形成されている。格点側の雌ネジには、格点から突出したネジ（第１のネジ部材）が螺合可能である。トラス部材側の雌ネジには、トラス部材から突出したネジ（第２のネジ部材）が螺合可能である。
なお、第１のネジ部材又は第２のネジ部材の一方を雄ネジ、他方を雌ネジとして、それらと螺合するように、第３のネジ部材の一方を雌ネジ、他方を雄ネジとしてもよい。また、第１のネジ部材及び第２のネジ部材の双方を雌ネジとして、それらと螺合するように、第３のネジの両端を雄ネジとしてもよい。
【００１０】
第３のネジ部材は第１のネジ部材よりも短くすることが好ましい。これにより、第３のネジ部材を第１のネジ部材の支端側までねじ込んだときに、第１のネジの先端側と第２のネジ部材の先端側との間に間隔をあけることが可能となるからである。固定状態にある格点の第１のネジ部材に第３のネジ部材をねじ込んでおくことにより、第３のネジ部材の不測の脱落を未然に防止できる。また、このように第１のネジ部材を比較的に長く形成したときには、第２のネジ部材を短くしてその製造コストを削減することが好ましい。
【実施例】
【００１１】
以下、この発明の実施例について説明をする。
図１は本発明のトラス構造１０に使用される要素の分解図である。図１（Ａ）はトラス構造１０の斜視図である。図１（Ｂ）はトラス構造１０の側面図である。
トラス構造１０は格点１１、アタッチメント１３及びトラス部材１２で概略構成される。格点１１とアタッチメント１３との間にはナット１４が使用される。アタッチメント１３とトラス部材１２との間には平座金１５が使用される。
格点１１は鋼材のバルクからなる基材に雌ネジ部１１１が穿設された構造である。雌ネジ部１１１の穿設位置、穿設方向は特に限定されるものではないが、各雌ネジ部１１１は格点１１の中心からの仮想放射線上に位置するものとする。これによりトラス部材１２にかかる力が偏心することなく格点で分散されることとなる。基材の形状も図１に示す立方体に限定されるものではなく、直方体、１４面体、１８面体その他の多面体や球体を採用することができる。
格点１１の雌ネジ部１１１には長ネジ１６が螺合される。この長ネジ１６を格点１１から突出させて第１のネジ部材として使用することになる。なお、突出した長ネジ１６の部分を第１のネジ部材１６ａとする。
【００１２】
トラス部材１２はその長辺方向で中心軸方向に貫通孔が形成されている。この貫通孔には丸棒１７が挿入される。この丸棒１７はその一端が固定された状態で、丸棒１７の他端と第１のネジ部材１６ａの先端との間に間隔があけられる長さにする必要がある。丸棒１７の端部は第２のネジ部材１７ａが形成されており、丸棒１７を貫通孔に挿入したときに、この第２のネジ部材１７ａがトラス部材１２から突出するように配置する。
この実施例ではトラス部材１２として円筒状の木材を用いているが、その材質及びその断面形状は、任意に選択できる。
【００１３】
第３のネジ部材としてのアタッチメント１３はその長辺方向で中心軸方向に貫通孔が形成されており、その貫通孔の内周壁には連続した雌ネジが形成されている。このアタッチメント１３も鋼材で形成され、高ナットを使用する。アタッチメント１３の格点１１側は第１のネジ部材１６ａと螺合可能である。そのトラス部材１２側はトラス部材１２から突出する第２のネジ部材１７ａと螺合可能である。
【００１４】
第１のネジ部材１６ａは第２のネジ部材１７aよりも長くした。また、アタッチメント１３は第１のネジ部材１６ａよりも短くした。これにより、アタッチメント１３を第１のネジ部材１６ａの支端側にねじ込んだときに第１のネジ部材１６ａの先端側と、第２のネジ部材１７aの先端側との間に間隔をあけることが可能になる。これにより、固定された一対の格点に対して、側方からトラス部材１２を挿入することが可能となる。
【００１５】
図２〜図５を用いて、トラス部材１２を格点１１に組み付ける手順を説明する。
格点１１の雌ネジ穴１１１に長ネジ１６の端部を螺合し、２個のナット１４をその長ネジ１６の支端側までねじ込む。格点１１側のナット１４により、長ネジ１６は格点に固定される。一方、トラス部材１２の貫通孔に丸棒１７を、その先端に形成された第２のネジ部材１７ａがトラス部材１２から突出するように挿入する（図２参照）。
次に、第１のネジ部材１６ａの先端部が見えるように、アタッチメント１３を第１のネジ部材１６ａの支端側までねじ込んでいく。第１のネジ部材１６ａと第２のネジ部材１７ａとの間に間隔をあけることが可能となる（図３参照）。
続いて、固定された格点間を結ぶ直線の側方からトラス部材１２を挿入する。そして、トラス部材１２の一端側を別の格点（図示せず）に固定する（図４参照）。
最後に、平座金１５を第２のネジ部材１７ａへ嵌合してアタッチメント１３を第２のネジ部材１７ａへねじ込む。そして、トラス部材１２側のナット１４をアタッチメント１３にねじ込むことで、アタッチメント１３が固定される（図５参照）。
このように、固定された格点の間にその側方からトラス部材を挿入することで、格点とトラス部材との結合が可能となる。格点とトラス部材との結合は量産可能なネジを用いるため、汎用的で安価なトラス構造を提供することができる。
【００１６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【００１７】
【図１】図１は実施例のトラス構造の構成要素を示す分解斜視図（Ａ）及び側面図（Ｂ）である。
【図２】図２はトラス構造を組み立てる手順を示す側面図である。
【図３】図３はトラス構造を組み立てる手順を示す側面図である。
【図４】図４はトラス構造を組み立てる手順を示す側面図である。
【図５】図５はトラス構造を組み立てる手順を示す側面図である。
【符号の説明】
【００１８】
１０  トラス構造、１１  格点、１２  トラス部材、１３  アタッチメント（第３のネジ部材）、１６  長ネジ、１６a  第１のネジ部材、１７  丸棒、１７a  第２のネジ部材
【図１】
2007262682.tif 000003
【図２】
2007262682.tif 000004
【図３】
2007262682.tif 000005
【図４】
2007262682.tif 000006
【図５】
2007262682.tif 000007